【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
眼部のモーションコントラスト画像における第１の領域と前記第１の領域よりも狭い領域を少なくとも含む第２の領域とのうち少なくとも１つに対する解析を実行する解析手段と、
操作者からの指示に応じて前記第１の領域と前記第２の領域とのいずれか一方に対して選択された解析の種類を示す情報を用いて前記一方が解析された結果を示す画像を表示手段に表示させ、前記一方に対する選択の後に操作者からの指示に応じて他方に対して選択された解析の種類と、前記一方に対して選択された解析の種類とが異なる場合には、前記一方が解析された結果を示す画像の表示領域において、前記一方が解析された結果を示す画像の表示を、前記他方に対して選択された解析の種類を示す情報を用いて前記一方及び前記他方が解析された結果を示す画像の表示に変更する制御を実行する表示制御手段と、
を有することを特徴とする画像処理装置。
【請求項２】
前記表示制御手段は、前記一方に対する選択の後に操作者からの指示に応じて他方に対して選択された解析の種類と、前記一方に対して選択された解析の種類とが異なる場合には、前記一方に対して選択された解析の種類を示す情報の表示を、前記他方に対して選択された解析の種類を示す情報の表示に変更する別の制御を実行することを特徴とする請求項１に記載の画像処理装置。
【請求項３】
前記表示制御手段は、複数の検査日に対応する前記眼部の複数のモーションコントラスト画像が時系列に並べて表示される表示領域において、前記複数のモーションコントラスト画像のうちの１つの画像に対して実行される前記制御を、他の画像に対しても実行することを特徴とする請求項１または２に記載の画像処理装置。
【請求項４】
前記解析手段は、操作者からの指示に応じて、複数の検査日に対応する前記眼部の複数のモーションコントラスト画像のうちの１つの画像における前記第１の領域と前記第２の領域との少なくとも１つに対して選択される解析の種類を示す情報を、他の画像に対しても適用することを特徴とする請求項１乃至３のいずれか１項に記載の画像処理装置。
【請求項５】
前記第１の領域と前記第２の領域とのいずれか一方に対して選択された解析の種類が操作者からの指示に応じて非選択に変更された場合には、他方に対して選択された解析の種類は変更されないように構成されることを特徴とする請求項１乃至４のいずれか１項に記載の画像処理装置。
【請求項６】
前記表示制御手段は、前記第１の領域及び前記第２の領域に対する解析の種類が非選択の場合には、解析された結果を示す画像が前記表示領域において非表示の状態で、前記モーションコントラスト画像を前記表示領域に表示させることを特徴とする請求項１乃至５のいずれか１項に記載の画像処理装置。
【請求項７】
操作者からの指示に応じて選択された解析の種類を示す情報を用いて、眼部のモーションコントラスト画像における第１の領域に対する解析を実行する解析手段と、
操作者からの指示に応じて前記モーションコントラスト画像における前記第１の領域よりも狭い領域を少なくとも含む第２の領域に対して解析された結果を示す画像の表示が選択された場合には、前記選択された解析の種類を示す情報を用いて前記第２の領域に対して解析された結果を示す画像を、前記第１の領域に対して解析された結果を示す画像に重畳された状態で表示手段に表示させる表示制御手段と、
を有することを特徴とする画像処理装置。
【請求項８】
前記選択された解析の種類は、前記モーションコントラスト画像において特定される血管領域に関するパラメータと前記モーションコントラスト画像において特定される無血管領域に関するパラメータとのうち少なくとも１つのパラメータを少なくとも含む複数の種類のいずれかであることを特徴とする請求項１乃至７のいずれか１項に記載の画像処理装置。
【請求項９】
前記選択された解析の種類は、前記モーションコントラスト画像において特定される血管領域の面積に関する血管密度と、前記血管領域の長さに関する血管密度とを少なくとも含む複数の種類のいずれかであることを特徴とする請求項１乃至８のいずれか１項に記載の画像処理装置。
【請求項１０】
前記第２の領域は、セクタ領域で、
前記第１の領域は、前記セクタ領域よりも広い領域であることを特徴とする請求項１乃至９のいずれか１項に記載の画像処理装置。
【請求項１１】
前記モーションコントラスト画像は、前記眼部の同一位置を測定光が走査されるように制御して得た複数の３次元のモーションコントラスト画像が合成された画像であることを特徴とする請求項１乃至１０のいずれか１項に記載の画像処理装置。
【請求項１２】
前記モーションコントラスト画像は、前記眼部の３次元のモーションコントラスト画像と、操作者からの指示に応じて設定された深さ範囲に関する情報とを用いて生成された、前記眼部のモーションコントラスト正面画像であり、
前記解析された結果を示す画像は、前記モーションコントラスト正面画像の少なくとも一部の領域に対して解析された結果を示す２次元画像であることを特徴とする請求項１乃至１１のいずれか１項に記載の画像処理装置。
【請求項１３】
前記表示制御手段は、前記解析された結果を示す画像が、前記解析に適した複数の条件のうちの少なくとも２つの条件が満足されない状態で得られた画像である場合には、前記少なくとも２つの条件に関する情報を、前記複数の条件の優先順位に応じて前記表示手段に表示させることを特徴とする請求項１乃至１２のいずれか１項に記載の画像処理装置。
【請求項１４】
眼部のモーションコントラスト画像における少なくとも一部の領域に対する解析を実行する解析手段と、
前記解析された結果を示す画像が、前記解析に適した複数の条件のうちの少なくとも２つの条件が満足されない状態で得られた画像である場合には、前記少なくとも２つの条件に関する情報を、前記複数の条件の優先順位に応じて表示手段に表示させる表示制御手段と、
を有することを特徴とする画像処理装置。
【請求項１５】
前記表示制御手段は、前記少なくとも２つの条件に関する情報として、前記少なくとも２つの条件のうちの優先度の高い条件に関する警告メッセージを、前記表示手段に表示させることを特徴とする請求項１３または１４に記載の画像処理装置。
【請求項１６】
前記複数の条件には、前記モーションコントラスト画像が、前記眼部の同一位置を測定光が走査されるように制御して得た複数の３次元のモーションコントラスト画像が合成された画像である、という条件が、他の条件よりも優先度の高い条件として含まれることを特徴とする請求項１３乃至１５のいずれか１項に記載の画像処理装置。
【請求項１７】
眼部のモーションコントラスト画像における第１の領域と前記第１の領域よりも狭い領域を少なくとも含む第２の領域とのうち少なくとも１つに対する解析を実行する工程と、
操作者からの指示に応じて前記第１の領域と前記第２の領域とのいずれか一方に対して選択された解析の種類を示す情報を用いて前記一方が解析された結果を示す画像を表示手段に表示させ、前記一方に対する選択の後に操作者からの指示に応じて他方に対して選択された解析の種類と、前記一方に対して選択された解析の種類とが異なる場合には、前記一方が解析された結果を示す画像の表示領域において、前記一方が解析された結果を示す画像の表示を、前記他方に対して選択された解析の種類を示す情報を用いて前記一方及び前記他方が解析された結果を示す画像の表示に変更する制御を実行する工程と、
を有することを特徴とする画像処理方法。
【請求項１８】
操作者からの指示に応じて選択された解析の種類を示す情報を用いて、眼部のモーションコントラスト画像における第１の領域に対する解析を実行する工程と、
操作者からの指示に応じて前記モーションコントラスト画像における前記第１の領域よりも狭い領域を少なくとも含む第２の領域に対して解析された結果を示す画像の表示が選択された場合には、前記選択された解析の種類を示す情報を用いて前記第２の領域に対して解析された結果を示す画像を、前記第１の領域に対して解析された結果を示す画像に重畳された状態で表示手段に表示させる工程と、
を有することを特徴とする画像処理方法。
【請求項１９】
眼部のモーションコントラスト画像における少なくとも一部の領域に対する解析を実行する工程と、
前記解析された結果を示す画像が、前記解析に適した複数の条件のうちの少なくとも２つの条件が満足されない状態で得られた画像である場合には、前記少なくとも２つの条件に関する情報を、前記複数の条件の優先順位に応じて表示手段に表示させる工程と、
を有することを特徴とする画像処理方法。
【請求項２０】
請求項１７乃至１９のいずれか１項に記載の画像処理方法の各工程をコンピュータに実行させることを特徴とするプログラム。